(57)【要約】【課題】      蓋止めが蓋体と本体の間に挟まることがない保冷箱を提供することである。【解決手段】  本体１の内箱１ｂの内側両側に取付部５が固定され、蓋体２の内箱２ｂの内側両側に取付部６が固定されて蓋体２側の取付部６の位置は、本体１側の取付部５の位置に対して夫々寸法Ａ内側に設けられ、更に、本体１側の取付部５は本体１の後側から長さａだけ前方の位置に設けられ、蓋体２側の取付部６は蓋体２の後側から長さｂだけ前方の位置に設けられているので、本体１と蓋体２が閉じられた時、本体１側の取付部５の位置に対して蓋体２側の取付部６の位置は前側に設けられ、取付部５と取付部６の孔に複数の金属製又は合成樹脂製リングを連結して自在に変形可能な線状体の鎖８と湾曲状の可撓性を有する合成樹脂のチュ−ブ９の線状体からなる蓋止め７の両端が左右に反転可能に係止されている。【選択図】        図３
2009029462.tif 000002
【特許請求の範囲】
【請求項１】
本体に開閉可能に蓋体が取り付けられて蓋体と本体をつなぐ線状体からなる蓋止めを設けた保冷箱において、前記蓋止めの線状体に可撓性を有するチュ−ブをかぶせたことを特徴とする保冷箱。
【請求項２】
前記チュ−ブが湾曲状に形成されていることを特徴とする請求項１記載の保冷箱。
【請求項３】
前記蓋止めの線状体の本体側の取付部に対して蓋体側の取付部を内側に設けたことを特徴とする請求項１又は２記載の保冷箱。
【請求項４】
前記蓋体を閉じた状態で、蓋止めの線状体の蓋体側の取付部を本体側の取付部より前側に設けたことを特徴とする請求項１乃至３の何れか１つに記載の保冷箱。
【発明の詳細な説明】
【技術分野】
【０００１】
本発明は、蓋体と本体を線状体からなる蓋止めでつないだ保冷箱に関する。
【背景技術】
【０００２】
従来釣保冷箱の蓋体と本体を特許文献１のように支持部材でつないで蓋体を開いた時に蓋体が反対側に倒れないように支持した例がある。
しかし、係止孔と舌片側がスム−スにスライド係合すればよいが、支持部材の途中が折れ曲がったりすると蓋体と本体の間に挟まって蓋体が完全に閉まらないことが起こりうる欠点がある。
【特許文献１】特開平１０−２５０７７８号公報
【発明の開示】
【発明が解決しようとする課題】
【０００３】
解決しようとする問題点は、支持部材の途中が折れ曲がると蓋体と本体の間に挟まって蓋体が完全に閉まらないことである。
【０００４】
本発明の目的は前記欠点に鑑み、蓋止めが蓋体と本体の間に挟まることがない保冷箱を提供することである。
【課題を解決するための手段】
【０００５】
本発明の請求項１は、本体に開閉可能に蓋体が取り付けられて蓋体と本体をつなぐ線状体からなる蓋止めを設けた保冷箱において、前記蓋止めの線状体に可撓性を有するチュ−ブをかぶせたことを要旨とするものである。
本発明の請求項２は、前記チュ−ブが湾曲状に形成されていることを要旨とするものである。
本発明の請求項３は、前記蓋止めの線状体の本体側の取付部に対して蓋体側の取付部を内側に設けたことを要旨とするものである。
本発明の請求項４は、前記蓋体を閉じた状態で、蓋止めの線状体の蓋体側の取付部を本体側の取付部より前側に設けたことを要旨とするものである。
【発明の効果】
【０００６】
本発明の請求項により、蓋体と本体の間に蓋止めが挟まった時に蓋体と本体の傷付きを防止し、蓋止めの破損を防止する。
また、蓋体が閉じられる時、蓋体側の取付部の位置は、本体側の取付部の位置に対して夫々内側に設けられ、且つ蓋体側の取付部が本体側の取付部の位置より蓋体が閉じたときに前側に設けられているので、チュ−ブに挿通された線状体の鎖の自重で線状体からなる蓋止めは本体の内側に落下して垂れ下がることになり、蓋止めが本体と蓋体の間に挟まれることがないので、蓋体がスム−ズに閉じられる。
【発明を実施するための最良の形態】
【０００７】
保冷箱は本体１と蓋体２が図示しないヒンジ部で連結されて開閉自在に構成されている。
図１、図３から図６のように、本体１の内箱１ｂの内側両側で、奥側の上方開口縁の近くに係止具からなる取付部５、５がビス１０等で固定されている。
蓋体２の内箱２ｂの内側両側で、前側で下方開口縁の近くに取付部からなる取付部６、６がビス１１等で固定されている。
蓋体２側の取付部６、６の位置は図３のように、本体１側の取付部５、５の位置に対して夫々寸法Ａ、Ａ内側に設けられている。
更に、図３のように、本体１側の取付部５、５は本体１の後側から前側にａの位置に設けられ、蓋体２側の取付部６、６は蓋体２の後側から前側にｂの位置に設けられている。
この結果本体１と蓋体２が閉じられた時、本体１側の取付部５、５の位置に対して蓋体２側の取付部６、６の位置は図６のように、夫々寸法Ｂ前側に設けられている。
取付部５、５と取付部６、６に線状体からなる蓋止め７の両端が係止されている。
線状体からなる蓋止め７は線状体の複数の金属製又は合成樹脂製リングを連結して自在に変形可能な線状体の鎖８と湾曲状の可撓性を有する合成樹脂のチュ−ブ９からなっている。
線状体の複数のリングを連結した鎖８の両端のリング８ａ、８ｂは夫々取付部５、６の孔に挿通されて左右に反転可能に係止されている。
【実施例１】
【０００８】
以下、図示の一実施例によって本発明を説明すると、図１は蓋体が開かれた保冷箱の正面斜視図、図２は線状体からなる蓋止めの拡大斜視図、図３は蓋体が開かれた保冷箱の平面図、図４は蓋体が開かれた保冷箱の断面側面図、図５は蓋体が閉じられる前の保冷箱の断面側面図、図６は蓋体が閉じられた保冷箱の断面側面図、図７は線状体からなる蓋止めの他の例の斜視図である。
【０００９】
保冷箱は本体１と蓋体２がヒンジ部Ｈで回動可能に軸着で連結されて開閉自在に構成されている。
本体１は外箱１ａと内箱１ｂが一体的に組み合わされて形成され、外箱１ａと内箱１ｂの間に合成樹脂の発泡材等の保冷材３が充填されている。
蓋体２は外箱２ａと内箱２ｂが一体的に組み合わされて形成され、外箱２ａと内箱２ｂの間に合成樹脂の発泡材等の保冷材４が充填されている。
図１、図３から図６のように、本体１の内箱１ｂの左右側面の内側両側で、前後方向の長さの中央より後側の上方開口縁に係止具からなる取付部５、５がビス１０等で固定されている。
蓋体２の内側（内箱）２ｂの左右両側の前後方向の長さの中央より前側に取付部からなる取付部６、６がビス１１等で固定されている。
蓋体２側の取付部６、６の位置は図３のように、正面から見て本体１側の取付部５、５の位置に対して夫々寸法Ａで示すようにそれぞれ内側に設けられている。
更に図３のように、本体１側の取付部５、５は本体１の後面から長さａだけ前方の位置に設けられ、蓋体２側の取付部６、６は蓋体２の後面から長さｂだけ前方の位置に設けられている。
この結果本体１と蓋体２が閉じられた時、本体１側の取付部５、５の位置に対して蓋体２側の取付部６、６の位置は図６のように、夫々寸法Ｂだけ前方に位置する。
【００１０】
取付部５、５と取付部６、６に線状体からなる蓋止め７の両端が係止されている。
線状体からなる蓋止め７は線状体の複数の金属製又は合成樹脂製リングを連結して自在に変形可能な鎖８とこの鎖（線状体）８を長手方向に挿通し、鎖８を被覆するように取り付けた湾曲状の可撓性を有する合成樹脂のチュ−ブ９からなっている。
複数のリングを連結した鎖８の両端のリング８ａ、８ｂは夫々取付部５、６の孔に挿通されて左右に反転可能に係止されている。
複数のリングを連結した鎖８は図７の玉鎖８′に置き換えてもよいし、金属線やワイヤ−や合成樹脂線、紐を用いてもよい。
【００１１】
本体１と蓋体２が取付部５、６に係止された線状体からなる蓋止め７で連結されていると、図４のように蓋体２が開かれた時、反対側に蓋体２が倒れることがない。
また、鎖８はチュ−ブ９で被覆されて本体１や蓋体２に蓋止め７が接触して傷を付けることが防止される。
蓋体２が閉じられると、蓋止め７はチュ−ブ９と共に図５のように線状体の鎖８の自重で撓み、完全に閉じられると図６のように蓋体２側の取付部６が本体１側の取付部５の位置より前側に設けられているので、線状体の鎖８の自重で、鎖８が取付部５、６によってＶ字状に垂れ下がりながら蓋体２の閉塞動作にしたがって蓋体２の取付部６が本体１の取付部５より内側の上方を通って、取付部５の前方に移動し、これに連動して蓋止め７が取付部５を中心に反転しながら本体１の内側を通って取付部６が取付部５の前方に位置して蓋体２が閉じられる。
更に線状体の鎖８が本体１の内側に垂れ下がる時には図３のように、蓋体２側の取付部６、６の位置は、本体１側の取付部５、５の位置に対して夫々寸法Ａ、Ａ内側に設けられているので、容易に線状体の鎖８が本体１の内側に垂れ下がることになる。
【００１２】
前記のように保冷箱が構成されると、蓋体２が閉じられる時、蓋止め７（の線状体の鎖８）はチュ−ブ９に被覆されているため、本体１や蓋体２に接触したり不用意に本体１と蓋体２に挟んでも傷付きが防止される。
また、チュ−ブ９は湾曲状に癖付けされているため、これに沿って蓋止め７の鎖８が本体１内側に垂れ下がるように湾曲するため蓋体２の開閉時に本体１と蓋体２との間で挟むことが防止される。
そして蓋体２の閉塞動作にしたがってＶ字状に垂れ下がった蓋止め７が本体１の内側に垂れ下がったまま本体１の取付部５を中心に開口Ｋから離れるように本体１の内側に回り込むように円弧状に反転しながら蓋体２が閉じられるため蓋止め７が開口Ｋから離れるように移動することで本体１と蓋体２の間に挟まれることなくスム−ズに蓋体２が完全に閉じられる。
【産業上の利用可能性】
【００１３】
前記説明では、保冷箱の全般に利用できる。
【図面の簡単な説明】
【００１４】
【図１】蓋体が開かれた保冷箱の正面斜視図である。
【図２】線状体からなる蓋止めの拡大斜視図である。
【図３】蓋体が開かれた保冷箱の平面図である。
【図４】蓋体が開かれた保冷箱の断面側面図である。
【図５】蓋体が閉じられる前の保冷箱の断面側面図である。
【図６】蓋体が閉じられた保冷箱の断面側面図である。
【図７】線状体からなる蓋止めの他の例の斜視図である。
【符号の説明】
【００１５】
１  本体
２  蓋体
５、６  取付部
７  線状体からなる蓋止め
８  線状体の鎖
９  チュ−ブ
【図１】
2009029462.tif 000003
【図２】
2009029462.tif 000004
【図３】
2009029462.tif 000005
【図４】
2009029462.tif 000006
【図５】
2009029462.tif 000007
【図６】
2009029462.tif 000008
【図７】
2009029462.tif 000009